(57)【要約】【課題】本発明の課題は、機器の設置エリアを簡単に、正確で確実に管理するシステムを提供することである。【解決手段】壁データとゲートデータと機器データを含む機器配置図データを用いて、座標データを含むノードデータを作成するノード作成手段と、前記作成したノードデータから選択した一対のノード間に線分を作成して、壁と交差しなければ、この一対のノードにリンクを設定するリンク設定手段と、ゲートのノードと機器のノードの一対を選択して、両ノードを接続するリンクを探索して、探索されたリンクが壁のノードのみで中継されていれば、該当するゲートと機器を接続したグラフデータを作成するグラフ作成手段と、前記作成されたグラフデータを用いて、同一のゲートの組みに接続する機器を抽出し対応付けるエリア機器対応付手段と、を備えることを特徴とする機器管理装置である。【選択図】図１
2009075818.tif 000002
【特許請求の範囲】
【請求項１】
壁に囲まれたエリアへの入退場がゲートにより管理され、エリアに配置された機器を管理する機器管理装置であって、
壁データとゲートデータと機器データを含む機器配置図データを記憶する記憶手段と、
機器配置図データを用いて、座標データとノード種別データを含むノードデータを作成するノード作成手段と、
前記ノード作成手段が作成したノードデータから選択した一対のノード間に線分を作成して、壁と交差しなければ、この一対のノードにリンクを設定するリンク設定手段と、
ゲートのノードデータと機器のノードデータの一対を選択して、両ノードを接続するリンクを探索して、探索されたリンクが壁のノードデータのみで中継されていれば、該当するゲートと機器を接続したグラフデータを作成するグラフ作成手段と、
グラフ作成手段が作成したグラフデータを用いて、共通のゲートの組みと接続する機器を抽出し、このゲートの組みと抽出した機器を対応でけるエリア機器対応付手段と、
を備えることを特徴とする機器管理装置。
【請求項２】
壁に囲まれたエリアへの入退場がゲートにより管理され、エリアに配置された機器を管理する機器管理プログラムであって、
壁データとゲートデータと機器データを含む機器配置図データを記憶する記憶手段と、
機器配置図データを用いて、座標データとノード種別データを含むノードデータを作成するノード作成手段と、
前記ノード作成手段が作成したノードデータから選択した一対のノード間に線分を作成して、壁と交差しなければ、この一対のノードにリンクを設定するリンク設定手段と、
ゲートのノードデータと機器のノードデータの一対を選択して、両ノードを接続するリンクを探索して、探索されたリンクが壁のノードデータのみで中継されていれば、該当するゲートと機器を接続したグラフデータを作成するグラフ作成手段と、
グラフ作成手段が作成したグラフデータを用いて、共通のゲートの組みと接続する機器を抽出し、このゲートの組みと抽出した機器を対応でけるエリア機器対応付手段と、
を備えることを特徴とする機器管理プログラム。
【請求項３】
壁データとゲートデータと機器データを含む機器配置図データを用いて、壁に囲まれたエリアへの入退場がゲートにより管理され、エリアに配置された機器を管理する機器管理方法であって、
機器配置図データを用いて、座標データとノード種別データを含むノードデータを作成するノード作成ステップと、
前記ノード作成手段が作成したノードデータから選択した一対のノード間に線分を作成して、壁と交差しなければ、この一対のノードにリンクを設定するリンク設定ステップと、
ゲートのノードデータと機器のノードデータの一対を選択して、両ノードを接続するリンクを探索して、探索されたリンクが壁のノードデータのみで中継されていれば、該当するゲートと機器を接続したグラフデータを作成するグラフ作成ステップと、
グラフ作成手段が作成したグラフデータを用いて、共通のゲートの組みと接続する機器を抽出し、このゲートの組みと抽出した機器を対応でけるエリア機器対応付ステップと、
を含んだ手順でなされることを特徴とする機器管理方法。
【発明の詳細な説明】
【技術分野】
【０００１】
本発明は、設置エリアに応じて、機器の設置状況を管理する装置、プログラム、方法に関するものである。
【０００２】
従来から、コンピュータやプリンタのようなオフィス機器の資産管理やセキュリティ管理を果たすために、オフィス機器の設置場所を正確に把握することが必須である。
【背景技術】
【０００３】
たとえば、特許文献１では、オフィス機器に発信機を設けて、室内や倉庫内に設置したときに、オフィス機器の発信機の信号を捕らえて、オフィス機器の位置を管理して室内配置図を作成する技術が開示されている。
また、特許文献２では、識別情報を格納したＩＣダグを資産ラベルに埋め込み、非接触で情報を読み取るユニットリーダを利用して物理的な資産の有無情報を自動で取得し、識別情報と資産情報を対応付けて記憶した資産台帳に反映させる技術が開示されている。
【特許文献１】特開２００５−１７９０２６号公報（段落００２２〜段落００２７、図３）
【特許文献２】特開２００５−２０２４４５号公報（段落０００９、図１）
【発明の開示】
【発明が解決しようとする課題】
【０００４】
ところで、特許文献１の技術や特許文献２の技術では、所定のエリアから不正なエリアに移動されたか否かを検査する場合には、管理者が多大な労力と時間をかけて、目視で室内配置図や資産台帳を確認しなければならないという問題点があった。
また、この場合に、管理者が目視で確認するために、見落としの危険性も高いという不具合があった。
【０００５】
本発明は以上のような点を解決するためになされたものであって、本発明の課題は、機器の設置エリアを簡単に、正確で確実に管理するシステムを提供することである。
【課題を解決するための手段】
【０００６】
本発明は、以下の各態様に記載の手段により、前記課題を解決する。
すなわち、本願発明の第１の態様は、壁に囲まれたエリアへの入退場がゲートにより管理され、エリアに配置された機器を管理する機器管理装置であって、壁データとゲートデータと機器データを含む機器配置図データ（１９１）を記憶する記憶手段と、機器配置図データを用いて、座標データとノード種別データを含むノードデータ（１９２）を作成するノード作成手段（１１０）と、前記ノード作成手段が作成したノードデータ（１９２）から選択した一対のノード間に線分を作成して、壁と交差しなければ、この一対のノードにリンクを設定するリンク設定手段（１２０）と、ゲートのノードデータと機器のノードデータの一対を選択して、両ノードを接続するリンクを探索して、探索されたリンクが壁のノードデータのみで中継されていれば、該当するゲートと機器を接続したグラフデータ（１９３）を作成するグラフ作成手段（１３０）と、
グラフ作成手段が作成したグラフデータ（１９３）を用いて、共通のゲートの組みと接続する機器を抽出し、このゲートの組みと抽出した機器を対応でけるエリア機器対応付手段（１４０）と、
を備えることを特徴とする機器管理装置である。
【０００７】
このように、機器が記載された設置図面を用いて、エリアに設置されている機器を抽出することが可能となる。
【０００８】
本願発明の第２の態様は、壁に囲まれたエリアへの入退場がゲートにより管理され、エリアに配置された機器を管理する機器管理プログラムであって、壁データとゲートデータと機器データを含む機器配置図データを記憶する記憶手段と、機器配置図データを用いて、座標データとノード種別データを含むノードデータを作成するノード作成手段（１１０）と、前記ノード作成手段が作成したノードデータから選択した一対のノード間に線分を作成して、壁と交差しなければ、この一対のノードにリンクを設定するリンク設定手段（１２０）と、ゲートのノードデータと機器のノードデータの一対を選択して、両ノードを接続するリンクを探索して、探索されたリンクが壁のノードデータのみで中継されていれば、該当するゲートと機器を接続したグラフデータを作成するグラフ作成手段（１３０）と、グラフ作成手段が作成したグラフデータ（１９３）を用いて、共通のゲートの組みと接続する機器を抽出し、このゲートの組みと抽出した機器を対応でけるエリア機器対応付手段（１４０）と、を備えることを特徴とする機器管理プログラムである。
【０００９】
本願発明の第３の態様は、壁データとゲートデータと機器データを含む機器配置図データを用いて、壁に囲まれたエリアへの入退場がゲートにより管理され、エリアに配置された機器を管理する機器管理方法であって、機器配置図データを用いて、座標データとノード種別データを含むノードデータを作成するノード作成ステップと、前記ノード作成手段が作成したノードデータから選択した一対のノード間に線分を作成して、壁と交差しなければ、この一対のノードにリンクを設定するリンク設定ステップと、ゲートのノードデータと機器のノードデータの一対を選択して、両ノードを接続するリンクを探索して、探索されたリンクが壁のノードデータのみで中継されていれば、該当するゲートと機器を接続したグラフデータを作成するグラフ作成ステップと、グラフ作成手段が作成したグラフデータ（１９３）を用いて、共通のゲートの組みと接続する機器を抽出し、このゲートの組みと抽出した機器を対応でけるエリア機器対応付ステップと、を含んだ手順でなされることを特徴とする機器管理方法である。
【発明の効果】
【００１０】
本願発明によれば、
（１）機器の設置エリアを簡単に管理することができる。
（２）機器の設置エリアを正確で確実に管理することができる。
【発明を実施するための最良の形態】
【００１１】
以下、図面等を参照しながら、本発明の実施の形態について、更に詳しく説明する。
【００１２】
図１は、本発明による機器管理装置１００の詳細な構成図である。機器管理装置１００は、ＣＰＵ１０１と、メモリ１０９と、専用アプリケーションプログラム１０８を備える。
機器管理装置１００は、壁に囲まれたエリアへの入退場がゲートにより管理され、エリアに配置された機器の配置図を用いて、各エリアにどの機器が配置されているかを対応付けする。すなわち、機器管理装置１００は、配置図から壁とゲートに囲まれたエリアを設定して、配置された機器がどのエリアを属するかを判断する。
【００１３】
ＣＰＵ１０１は、マイクロプロセッサである。
【００１４】
メモリ１０９は、半導体メモリや磁気メモリである。メモリ１０９は、機器配置図データ１９１を記憶する。
機器配置図データ１９１は、壁データとゲートデータと機器データを含むデータである。
【００１５】
専用アプリケーションプログラム１０８は、ＣＰＵ１０１により処理が行われるコンピュータプログラムである。本発明における専用アプリケーションプログラムは、ノード作成手段１１０と、リンク設定手段１２０と、グラフ作成手段１３０と、エリア機器対応付手段１４０と、から構成される。
【００１６】
ノード作成手段１１０は、機器配置図データ１９１の壁データとゲートデータと機器データからそれぞれ代表する点をノードと定めてノードデータを作成する。
たとえば、壁データの代表点は、端点を選択して壁ノードと定めて、機器とゲートの代表点は、中心点を選択して、それぞれ機器ノード、ゲートノードと定める。代表点からノード属性（壁、機器、ゲートなど）と位置座標から構成されるノードデータを作成する。
なお、ノードとは、グラフ理論でいう点のことである。
【００１７】
リンク設定手段１２０は、前記ノード作成手段が作成したノードデータから選択した一対のノード間に線分を作成して、壁と交差しなければ、この一対のノードにリンクを設定する。全てのノードに対して、壁が交差するか否かを調べて、リンクを設定する。
なお、リンクとは、グラフ理論でいう点を結ぶ線のことである。
【００１８】
グラフ作成手段１３０は、ゲートのノードデータと機器のノードデータの一対を選択して、リンク設定手段１２０が作成した両ノードを接続するリンクを探索して、探索されたリンクの中から壁ノードを削除して、該当するゲートと機器を接続したグラフデータを作成する。
なお、リンクの探索には、グラフ理論のダイクストラ法を用いてもよい。
ここで、グラフとは、物事の結び付きを抽象化した概念で、いくつかの点をいくつかの線でつないだ集合である。
【００１９】
エリア機器対応付手段１４０は、グラフ作成手段が作成したグラフデータ１９３を用いて、共通のゲートの組みと接続する機器を抽出し、このゲートの組みと抽出した機器を対応でける。
このゲートノードの組に対応付けられた機器は、ゲートの組で構成されたエリア内に存在する機器である。
【００２０】
なお、詳細な機能の一例の説明としては、エリア機器対応付手段１４０は、グラフデータ１９３を用いて、ゲートノードのレベル値を設定し、次に、算出したゲートのノードレベル値を用いて機器ノードレベル値を算定し、算出した機器ノードレベル値と機器ノードを対応づける。この場合には、機器の存在しないエリアには、仮想の機器のノードを設定しておく。（詳細は後述する）
あるいは、詳細な機能の異なる例の説明としては、エリア機器対応付手段１４０は、少なくとも１つのゲートの組みを用いて、グラフ作成手段が作成したグラフデータのゲートの組みを参照して、一致するグラフデータのゲートの組みに接続する機器を抽出し、このゲートの組みと抽出した機器を対応づける。
【００２１】
図３は、機器配置図１９１ｆの例である。
機器配置図１９１ｆは、機器配置図データ１９１から生成した図面である。
図３には、機器配置図１９１ｆが例示されている。
機器配置図１９１ｆには、設置エリア１９１ａを囲う壁１９１ｗと、設置エリアに入退場するゲート１９１ｇと、設置エリアに設置された機器１９１ｐと、が図示されている。
【００２２】
図４は、ノードデータ１９２の形式と例である。
図４の（ａ）は、ノードデータ１９２の形式を説明する図である。
ノードデータ１９２は、ノード名称１９２ａと、ノードの種類１９２ｂと、Ｘ座標１９２ｃと、Ｙ座標１９２ｄと、        リンクデータ１９２ｅと、から構成されている。
リンクデータ１９２ｅは、このノードに直接に繋がっているノード名称の羅列である。
【００２３】
図４の（ｂ）は、ノードデータ１９２の例である。
図４の（ｂ）には、ノードデータ１９２が例示されている。
たとえば、ノードデータ１９２の例として、ノード名称１９２ａ「G1」と、ノードの種類１９２ｂ「ゲート」と、Ｘ座標１９２ｃ「300」と、Ｙ座標１９２ｄ「10」と、リンクデータ１９２ｅ「P1,W1,・・」が例示されている。
【００２４】
また、ノード名称１９２ａ「P1」と、ノードの種類１９２ｂ「パソコン」と、Ｘ座標１９２ｃ「40」と、Ｙ座標１９２ｄ「50」と、リンクデータ１９２ｅ「G1,W1、W2,・・」が例示されている。
また、ノード名称１９２ａ「W1」と、ノードの種類１９２ｂ「壁の端」と、Ｘ座標１９２ｃ「10」と、Ｙ座標１９２ｄ「10」と、リンクデータ１９２ｅ「P1、W2,・・」が例示されている。
【００２５】
図５は、グラフデータ１９３の形式を説明する図である。
グラフデータ１９３は、ノード名称１９３ａと、ノードの種類１９３ｂと、リンクデータ１９３ｅと、から構成されている。
ノード名称１９３ａは、図４のノード名称１９２ａと同じである。
ノードの種類１９３ｂは、図４のノードの種類１９２ｂと同じである。
リンクデータ１９３ｅは、図４のリンクデータ１９２ｅと同じである。
【００２６】
図６は、グラフデータ１９３の例とノードのグラフ１９３ｆの例である。
図６の（ａ）は、グラフデータ１９３の例である。
図６の（ａ）には、グラフデータ１９３が例示されている。
たとえば、グラフデータ１９３として、ノード名称１９３ａ「G1」と、ノードの種類１９３ｂ「ゲート」と、リンクデータ１９３ｅ「P1,P3」が例示されている。
【００２７】
また、同様に、ノード名称１９３ａ「G2」と、ノードの種類１９３ｂ「ゲート」と、リンク
データ１９３ｅ「G1, P1,P3,P2」が例示されている。
また、同様に、ノード名称１９３ａ「P1」と、ノードの種類１９３ｂ「パソコン」と、リンクデータ１９３ｅ「G1,G2,P3」が例示されている。
また、同様に、ノード名称１９３ａ「P2」と、ノードの種類１９３ｂ「パソコン」と、リンクデータ１９３ｅ「G2」が例示されている。
また、同様に、ノード名称１９３ａ「P3」と、ノードの種類１９３ｂ「パソコン」と、リンクデータ１９３ｅ「G1,G2, P1」が例示されている。
【００２８】
図６の（ｂ）は、グラフ１９３ｆの例である。
グラフ１９３ｆは、グラフデータ１９３から生成した図形である。
図６の（ｂ）には、グラフ１９３ｆが例示されている。
例示されているグラフ１９３ｆは、（ａ）のグラフデータ１９３をグラフ化したものである。
たとえば、パソコンノード「P1」は、ゲートノード「G1」と、ゲートノード「G2」と、パソコンノード「P3」と接続されている。
また、パソコンノード「P2」は、ゲートノード「G2」と接続されている。
また、パソコンノード「P3」は、ゲートノード「G1」と、ゲートノード「G2」と、パソコンノード「P1」と接続されている。
【００２９】
また、ゲートノード「G1」は、パソコンノード「P1」と、パソコンノード「P3」ゲートノード「G2」と接続されている。
また、ゲートノード「G2」は、ゲートノード「G1」と、パソコンノード「P1」と、パソコンノード「P2」と、パソコンノード「P3」と接続されている。
【００３０】
次に、ノードについて図示して説明する。
図７から図１０までは、ノードの説明図である。
【００３１】
図７は、壁ノードの説明図である。
図７の（ａ）は、機器配置図１９１ｆの壁１９１ｗの例である。
図７の（ａ）には、図３の機器配置図の壁１９１ｗが例示されている。
【００３２】
図７の（ｂ）は、壁ノード配置図１９２ｆの例である。
図７の（ｂ）には、図７の（ａ）の壁１９１ｗと、各壁１９１ｗの端にある壁ノード「Ｗ[i]」（i=1,2,3,・・）が例示されている。
なお、重なった壁ノード「Ｗ[i]」は、分かりやすくするために、少しずらして表示している。
【００３３】
図８は、ゲートノードの説明図である。
図８の（ａ）は、機器配置図１９１ｆのゲート１９１ｇの例である。
図８の（ａ）には、図３の機器配置図のゲート１９１ｇ「ゲート１」と「ゲート２」とが例示されている。
【００３４】
図８の（ｂ）は、ゲートノード機器配置図１９２ｆの例である。
図８の（ｂ）には、壁１９１ｗと、機器配置図のゲート１９１ｇ「ゲート１」と「ゲート２」に対応したゲートノード「G1」と「G2」が例示されている。
【００３５】
図９は、機器ノードの説明図である。
図９の（ａ）は、機器配置図１９１ｆのゲート１９１ｐの例である。
図９の（ａ）には、図３の機器配置図のオフィス機器１９１ｐ「ＰＣ１」と「ＰＣ２」と「ＰＣ３」が例示されている。
【００３６】
図９の（ｂ）は、機器ノード配置図１９２ｆの例である。
図９の（ｂ）には、壁１９１ｗと、機器配置図のオフィス機器１９１ｐ「ＰＣ１」と「ＰＣ２」と「ＰＣ３」に対応した機器ノード「P1」と「P2」と「P3」が例示されている。
【００３７】
図１０は、ノード配置図１９２ｆの例である。
図１０には、ノード配置図が例示されている。
ノード配置図には、壁１９１ｗと、壁ノード「Ｗ[i]」と、ゲートノード「G1」と「G2」、機器ノード「P1」と「P2」と「P3」が例示されている。
【００３８】
次に、リンク設定手順の詳細を図示する。
図１１は、リンクを設定する方法の説明図である。
ノード配置図１９２ｆから一対のノード（たとえば、ゲートノード「G1」と壁ノード「Ｗ9」を選択し、ノード間に線分を作成して、壁１９１ｗと交差していないことを確認する（図１１（１））。一対のノードに対応するノードデータ１９２にリンクを設定する（同（２））。
ノード配置図１９２ｆから一対のノード（たとえば、ゲートノード「G1」と壁ノード「P2」を選択し、ノード間に線分を作成して、壁１９１ｗ（たとえば、壁ノード「Ｗ9」と「Ｗ11」の間の壁）と交差することを確認する（同（３））。線分が壁と交差するので、一対のノードに対応するノードデータ１９２にリンクを設定しない。
【００３９】
次に、グラフ作成手順の詳細を図示する。
図１２は、グラフデータ１９３を作成する手順を説明する図である。
【００４０】
ノードデータ１９２を用いて、ノードのリンクグラフ１９２ｆを作成する（図１２（１））。
【００４１】
ゲートのノードデータと機器のノードデータの一対を選択して、両ノードを接続するリンクを経路探索して、探索されたリンクが壁のノードデータのみで中継されていれば、該当するゲートと機器を接続したグラフ１９３ｆを作成する（同（２））。
たとえば、例示されているノードのリンクグラフ１９２ｆには、ゲートノード「G1」は、壁ノード「W1」とリンクを持つ。この壁ノード「W1」は、パソコンノード「P1」とリンクを持つ。従って、ゲートノード「G1」とパソコンノード「P1」とを接続して、ゲートと機器を接続したグラフ１９３ｆを作成する。あるいは、ゲートノード「G1」は、壁ノード「W1」と壁ノード「W2」と壁ノード「W3」と壁ノード「W4」を経由して、パソコンノード「P3」とリンクを持つ。従って、ゲートノード「G1」とパソコンノード「P3」とを接続して該当するゲートと機器を接続したグラフ１９３ｆを作成する。
【００４２】
なお、経路探索の具体的なアルゴリズムには、代表的なものとして、たとえば、グラフ理論のダイクストラ法がある。
【００４３】
ゲートと機器を接続したグラフ１９３ｆを用いて、グラフデータ１９３を作成する（同（３））。
【００４４】
図１３と図１４は、各エリアにどの機器が配置されているかを判定するときの説明図である。
【００４５】
図１３は、ノードのレベル値算出処理の説明図である。
図１３の（ａ）は、ゲートノードのレベル値を算出する処理の説明図である。
グラフデータ１９３から、ゲートノード「G1」のデータを選択する（図１３（１））。
選択したゲートノード「G1」のデータに含まれるパソコン「P1」を選択する（同（２））。グラフデータ１９３から、パソコンノード「P1」のデータを選択する（同（３））。
選択したパソコンノード「P1」に含まれるパソコン「P3」が、選択したゲートノード「G1」のデータに含まれることを確かめる（同（４））。同様に、選択したパソコンノード「P1」に含まれるゲートノード「G2」が、選択したゲートノード「G1」のデータに含まれることを確かめる（同（５））。
ステップ（２）から（５）までから、ゲートノード「G1」にリンクする各ノードが相互に接続されていることが判定されるので、ゲートノード「G1」のレベル値を「０」とする（同（６））。
次に、グラフデータ１９３から、ゲートノード「G2」のデータを選択する。選択したゲートノード「G2」のデータには、レベル値が「０」であるゲートノード「G1」が含まれるので、ゲートノード「G2」のレベル値を「１」とする（同（７））。
同様にして、全てのゲートノードレベル値を算出することができる。
【００４６】
図１３の（ｂ）は、パソコンノードのレベル値を算出する処理の説明図である。
グラフデータ１９３から、パソコンノード「P1」のデータを選択する。選択したパソコンノード「P1」に含まれるゲートノードのレベル値の中から最も低いレベル値（＝ゲートノード「G1」のレベル値）「０」を抽出し、１を加算して、パソコンノード「P1」のレベル値「１」を算出する（同（８））。
次に同様にして、グラフデータ１９３から、パソコンノード「P2」のデータを選択する。選択したパソコンノード「P2」に含まれるゲートノードのレベル値の中から最も低いレベル値（＝ゲートノード「G2」のレベル値）「１」を抽出し、１を加算して、パソコンノード「P1」のレベル値「２」を算出する（同（８））。
同様にして、全てのパソコンノードレベル値を算出することができる。
以上でえ説明した手順により、全てのパソコンノードのレベル値を算出することで、ノードレベル値が同一のパソコンは、同一のエリアに存在することを示す。
【００４７】
図１４には、機器とゲートを対応付けたエリア判定結果が例示されている。
ゲートと機器を接続したグラフ１９３ｆによると、
パソコンノード「P1」は、ゲートノード「G1」とゲートノード「G2」に接続することを判定した結果が、例示されている。
また、パソコンノード「P3」は、ゲートノード「G1」とゲートノード「G2」に接続することを判定した結果が、例示されている。
また、パソコンノード「P2」は、ゲートノード「G2」に接続することを判定した結果が、例示されている。
【００４８】
図２は、機器管理処理のフローチャートである。
（１）ノード作成手段１１０は、機器配置図データ１９１を用いて、座標データとノード種別データを含むノードデータ１９２を作成する。（ステップＳ１１０）
（２）リンク設定手段１２０は、ノード作成手段が作成したノードデータ１９２から選択した一対のノード間に線分を作成して、壁と交差しなければ、一対のノードにリンクを設定する。（ステップＳ１２０）
（３）グラフ作成手段１３０は、ゲートのノードデータと機器のノードデータの一対を選択して、両ノードを接続するリンクを探索して、探索されたリンクが壁のノードデータのみで中継されていれば、該当するゲートと機器を接続したグラフデータ１９３を作成する。（ステップＳ１３０）
（４）エリア機器判定手段１４０は、ノードのレベル値を算出して、算出したノード値と機器ノードを対応付けする。（ステップＳ１４０）
【図面の簡単な説明】
【００４９】
【図１】本発明による機器管理装置１００の詳細な構成図
【図２】機器管理処理のフローチャート
【図３】機器配置図１９１ｆの例
【図４】ノードデータ１９２の形式と例
【図５】グラフデータ１９３の形式を説明する図
【図６】グラフデータ１９３の例とノードのグラフ１９３ｆの例
【図７】壁ノードの説明図
【図８】ゲートノードの説明図
【図９】機器ノードの説明図
【図１０】ノード配置図１９２ｆの例
【図１１】リンクを設定する方法の説明図
【図１２】グラフデータ１９３を作成する手順を説明する図
【図１３】ノードのレベル値算出処理の説明図
【図１４】各エリアにどの機器が配置されているかを判定するときの説明図
【符号の説明】
【００５０】
１００  本発明による機器管理装置
１１０  ノード作成手段
１２０  リンク設定手段
１３０  グラフ作成手段
１４０  エリア機器対応付手段
１９１  機器配置図データ
１９１ａ  設置エリア
１９１ｇ  ゲート
１９１ｆ  機器配置図
１９１ｐ  機器
１９１ｗ  壁
１９２  ノードデータ
１９２ａ  ノード名称
１９２ｂ  ノードの種類
１９２ｃ  Ｘ座標
１９２ｄ  Ｙ座標
１９２ｅ  リンクデータ
１９３  グラフデータ
１９３ａ  ノード名称
１９３ｂ  ノードの種類
１９３ｅ  リンクデータ
１９３ｆ  グラフ
【図１】
2009075818.tif 000003
【図２】
2009075818.tif 000004
【図３】
2009075818.tif 000005
【図４】
2009075818.tif 000006
【図５】
2009075818.tif 000007
【図６】
2009075818.tif 000008
【図７】
2009075818.tif 000009
【図８】
2009075818.tif 000010
【図９】
2009075818.tif 000011
【図１０】
2009075818.tif 000012
【図１１】
2009075818.tif 000013
【図１２】
2009075818.tif 000014
【図１３】
2009075818.tif 000015
【図１４】
2009075818.tif 000016